(57)【要約】【課題】センサのチェックを漏れなく簡単に行える電子機器を提供する。【解決手段】スキャナ機構制御回路４はレジスタＳを有し、レジスタＳにはスキャナに係るセンサ２１〜２４の情報が格納されている。カセット基板回路８，９はレジスタＣ１，Ｃ２を有し、レジスタＣ１，Ｃ２にはカセットに係るセンサ２５〜３０の情報が格納されている。プリンタ機構制御回路１５はレジスタＰ１，Ｐ２を有し、レジスタＰ１，Ｐ２にはプリンタに係るセンサ３１〜３９の情報が格納されている。センサのチェックモードにおいては、まずスキャナ、カセット、プリンタからチェックする箇所を選択し、選択されたチェック箇所に係るセンサの略称を表示し、そのセンサの情報を格納したレジスタの各ビットの値が変化しているか判定し、変化しているときはセンサの略称の表示を反転する。【選択図】      図３
2004254052.tif 000002
【特許請求の範囲】
【請求項１】
各所に配置された複数のセンサと、表示部と、表示部に複数のセンサにそれぞれ対応する表示を行わせる制御部とを備えたことを特徴とする電子機器。
【請求項２】
前記複数のセンサの内、設置位置が近いセンサをまとめて複数の区分とし、区分ごとに表示部に表示することを特徴とする請求項１記載の電子機器。
【請求項３】
前記区分内のセンサの出力はレジスタに格納され、前記制御部は、レジスタの内容を定期的に読み出し、値の変化したビットを判定し、値の変化したビットに対するセンサについての表示態様を異ならせることを特徴とする請求項２記載の電子機器。
【発明の詳細な説明】
【０００１】
【発明の属する技術分野】
この発明は、ファクシミリ装置、コピー装置、或いはそれらの複合機等に使用される電子機器に関する。
【０００２】
【従来の技術】
近年電子機器には、装置の機械的状態を検出するためのセンサが多く用いられている。例えば、スキャナ、ファクス、プリンタ、コピー機能を備えた複合機では、原稿の搬送状態、原稿の幅、カセットの状態、用紙の搬送状態、プリンタの状態、筐体の各種カバーの開閉状態等を検出するため、マイクロスイッチ、光電スイッチ等が各種多数設けられている。メンテナンス時に、これらのセンサが正常に動作しているかどうか確認する必要がある。
【０００３】
この確認方法として、センサをキー操作により選択し、選択されたセンサを手で動作させてみて、ＬＥＤの表示により正常か否かをサービスマンが判断できるようにした技術がある（例えば、特許文献１参照）。
【０００４】
【特許文献１】
特開平１１−３０５６０８号公報
【０００５】
【発明が解決しようとする課題】
しかしながら、上記特許文献１記載の手法によれば、全てのセンサについて検査するには、キーによりセンサを１つ１つ指定しなければならず、操作が煩雑であり、チェック漏れ等が発生する問題点があった。
【０００６】
この発明は、そのような問題点に着目してなされたものであって、センサのチェックを漏れなく簡単に行える電子機器を提供することを目的としている。
【０００７】
【課題を解決するための手段】
前記目的を達成するために、この発明の請求項１記載の電子機器は、各所に配置された複数のセンサと、表示部と、表示部に複数のセンサにそれぞれ対応する表示を行わせる制御部とを備えたことを特徴とする。
【０００８】
この電子機器では、複数のセンサの情報が表示部に並行して表示されるので、センサのチェックを漏れなく効率良く行うことができる。
【０００９】
また、複数のセンサの内、設置位置が近いセンサをまとめて複数の区分とし、区分ごとに表示部に表示することとすれば、センサが多いときでも設置位置が近いセンサごとのチェックが容易となり、チェック漏れがより起き難くなる。
【００１０】
更に、区分内のセンサの出力がレジスタに格納され、制御部が、レジスタの内容を定期的に読み出し、値の変化したビットを判定し、値の変化したビットに対するセンサについての表示態様を異ならせることとすれば、どのセンサを手動でチェックしているのかを容易に確認できる。
【００１１】
【発明の実施の形態】
以下、実施の形態により、この発明を更に詳細に説明する。
【００１２】
その実施形態に係る電子機器を備えた複合機の前側から見た外観斜視図を図１に、後側から見た外観斜視図を図２に示す。
【００１３】
この複合機４０は、コピー装置とファクシミリ装置を兼用するものである。この複合機４０では、本体４１の上部一端側に、原稿カバー４２ａを有する原稿自動供給装置（ＡＤＦ）４２が配置され、本体４１の上部手前側に、表示部４４を有する操作部４３が設けられている。本体４１の上部には、原稿をＡＤＦ４２に供給するときに原稿をセットする原稿供給トレイ４５が配置されている。
【００１４】
また、本体４１には、カセット５１，５２が手前側に引き出し可能に収納されている。勿論、収納可能なカセットは２つに限定されない。更に、本体４１の右側には、用紙を手差しでセットするための手差しトレイ５５が横に引き倒し可能に設けられている。但し、これら各部は従来の装置と機能的に差異は無いので、詳細は省略する。
【００１５】
この本体４１の各所には、図１において、後記複数のセンサＤＳ１，ＤＳ２，ＤＢ４，ＤＡ３，ＴＣＳ，ＰＳＳ，ＰＤＳ，ＨＰＳ（ＨＰＥＳ），ＰＥＳＵ（ＰＥＳ上段），ＰＥＳＬ（ＰＥＳ下段），ＳＣＯＰ，ＲＣＩＬ，ＴＯＳが設けられ、図２において、後記カセット基板回路（Ｃａｓｓｅｔｔｅ  １，２）ＰＣＢが設けられている。これらのセンサは、図では便宜上、拡大表示されているが、実際には本体４１内部に設けられており、外側から見えない。
【００１６】
この複合機４０の構成例を示すブロック図を図３に示す。
【００１７】
図３において、制御部としてのＭＰＵ（中央処理装置）１は、当該複合機４０全体を制御する機能を有する他、表示部１３に後記複数のセンサにそれぞれ対応する表示を行わせる機能を有する。
【００１８】
このＭＰＵ１には、ＮＣＵ（Ｎｅｔｗｏｒｋ  Ｃｏｎｔｒｏｌ  Ｕｎｉｔ）２、ＭＯＤＥＭ３が接続されている。ＮＣＵ２は、ＭＰＵ１により制御されて、回線Ｌと当該複合機４０との接続を制御すると共に、通信相手の電話番号に応じたダイヤルパルスを送出する機能及び着信を検出する機能を有する。なお、回線Ｌは一般公衆電話回線網（ＰＳＴＮ）に接続されている。ＭＯＤＥＭ３は、送受信データの変復調、具体的には本来はデジタル信号である送信データをアナログの音声信号に変調してＮＣＵ２を介して回線Ｌに送出し、また逆に回線ＬからＮＣＵ２を介して受信したアナログの音声信号をデジタル信号に復調する。
【００１９】
また、ＭＰＵ１には、スキャナ機構制御回路４、スキャナ画像処理回路６、ＣＯＤＥＣ（符号化・復号器：Ｃｏｄｅｒ  ａｎｄ  Ｄｅｃｏｄｅｒ  ）７、カセット基板回路８、カセット基板回路９、ＲＯＭ１０、ＲＡＭ１１、画像メモリ１２、表示部１３（前記表示部４４）、操作部１４（前記操作部４３）、プリンタ機構制御回路１５、プリンタ画像処理回路１７が接続されている。
【００２０】
スキャナ機構制御回路４は、レジスタＳ（４ａ）を有する。レジスタＳは、図４に示すように８ビットからなり、センサＤＳ１（２１），ＤＳ２（２２），ＤＢ４（２３），ＤＡ３（２４）の４ビット分の情報を格納し、残りの４ビットは未使用である。スキャナ機構制御回路４は、センサＤＳ１，ＤＳ２の信号に基づいてステッピングモータ（図示せず）の駆動を制御する。
【００２１】
センサＤＳ１，ＤＳ２，ＤＢ４，ＤＡ３は、いずれもＡＤＦ４２に設けられている。センサＤＳ１は、原稿が原稿供給トレイ４５にセットされたか否かを検出する。センサＤＳ２は、原稿供給トレイ４５にセットされた原稿の先端及び後端を検出し、原稿の先端及び後端が読取位置に達したかどうかを間接的に判定するためのものである。センサＤＢ４は、原稿供給トレイ４５にセットされた原稿のサイズがＢ４であるか否かを検出する。センサＤＡ３は、原稿供給トレイ４５にセットされた原稿のサイズがＡ３であるか否かを検出する。
【００２２】
スキャナ画像処理回路６は、ＣＣＤ５からの原稿画像の信号を処理する。具体的には、ＣＣＤ５の出力をアナログ増幅するとともに、２値のデジタルデータとして出力する。ＣＯＤＥＣ７は、スキャナ画像処理回路６からの画像データを符号化し、画像メモリ１２に記憶したり、画像メモリ１２に記憶された送信すべき画像データを符号化する。
【００２３】
カセット基板回路８は、上段のカセット収納部にセットされたカセット５１に収納された用紙のサイズを検知するためのもので、レジスタＣ１（８ａ）を有する。レジスタＣ１は、図４に示すように８ビットからなり、スイッチＳＵ５（２５），ＳＵ６（２６），ＳＵ７（２７）の３ビット分の情報を格納し、残りの５ビットは未使用である。スイッチＳＵ５，ＳＵ６，ＳＵ７はカセット基板回路８に設けられ、ＯＮ／ＯＦＦに基づいてカセット５１に収納された用紙サイズを検出する。具体的には、３つのスイッチがＯＦＦのときはカセット５１が開状態、スイッチＳＵ５のみがＯＮのときは用紙サイズがＢ４、スイッチＳＵ６のみがＯＮのときは用紙サイズがＡ４、スイッチＳＵ７のみがＯＮのときは用紙サイズがＢ５横、スイッチＳＵ５とＳＵ６がＯＮのときは用紙サイズがＡ５横と判定する。
【００２４】
カセット基板回路９は、下段のカセット収納部にセットされたカセット５２に収納された用紙のサイズを検知するためのもので、レジスタＣ２（９ａ）を有する。レジスタＣ２は、図４に示すように８ビットからなり、スイッチＳＬ５（２８），ＳＬ６（２９），ＳＬ７（３０）の３ビット分の情報を格納し、残りの５ビットは未使用である。スイッチＳＬ５，ＳＬ６，ＳＬ７はカセット基板回路９に設けられ、ＯＮ／ＯＦＦに基づいてカセット５２に収納された用紙サイズを検出する。具体的な用紙サイズの検出は、スイッチＳＵ５，ＳＵ６，ＳＵ７と同じである。
【００２５】
ＲＯＭ１０は、この複合機４０全体の動作を制御するためのプログラム等を予め記憶してある。ＲＡＭ１１は、ＭＰＵ１による制御に必要なデータ及び制御動作時に一時記憶が必要なデータ等を記憶する。画像メモリ１２は、ＣＣＤ５が読み取ってスキャナ画像処理回路６で２値化された画像データを圧縮状態で記憶し、また外部から回線ＬとＭＯＤＥＭ３を介して受信した画像データも圧縮状態で記憶する。
【００２６】
表示部１３は、後記のように、本体４１の各所に設けられた複数のセンサに対応する表示を行う。この表示に際しては、複数のセンサの内、設置位置が近いセンサをまとめて複数の区分とし、区分ごとに表示部１３に表示する。勿論、表示部１３は、操作部１４の操作により入力された電話番号やＦＡＸ番号、プリンタのトナー残量等の種々の情報を表示する。この表示部１３としては、ＣＲＴディスプレイやＬＣＤ（液晶表示装置）が用いられる。
【００２７】
操作部１４は、電話番号、ＦＡＸ番号を入力するためのテンキー、相手先の電話番号をワンタッチで呼び出すワンタッチキー、コピーやＦＡＸの開始等を指示するスタートキー等を有する他、図５〜図７に示すように、センサのチェックモードに移行するためのモードキー６１、チェックモードを終わるための戻るキー６２、表示部１３（４４）に表示されたメニューを指定するメニューキーＡ（６３），Ｂ（６４），Ｃ（６５）を有する。
【００２８】
プリンタ機構制御回路１５は、プリンタに係るモータの駆動等を制御し、レジスタＰ１（１５ａ），Ｐ２（１５ｂ）を有する。レジスタＰ１，Ｐ２は、図４に示すように８ビットからなる。レジスタＰ１は、センサＴＣＳ（３１），ＰＳＳ（３２），ＰＤＳ（３３），ＨＰＳ（３４），ＰＥＳＵ（３５），ＰＥＳＬ（３６）の６ビット分の情報を格納し、残りの２ビットは未使用である。レジスタＰ２は、センサＳＣＯＰ（３７），ＲＣＩＬ（３８），ＴＯＳ（３９）の３ビット分の情報を格納し、残りの５ビットは未使用である。
【００２９】
センサＴＣＳは、トップカバー（ＡＤＦ４２及び原稿供給トレイ４５が設けられた部分）の開閉を検出する。センサＰＳＳは、用紙が搬送されてきたことを検出し、センサＰＤＳは、印字済み用紙の先端及び後端を検出し、それにより印字済み用紙が排出されたか否かを検出する。センサＨＰＳは、手差しトレイ５５に用紙がセットされたか否かを検出する。センサＰＥＳＵは、上段のカセット５１内の用紙の有無を検出し、センサＰＥＳＬは、下段のカセット５２内の用紙の有無を検出する。センサＳＣＯＰは、下段のカセット５２のサイドカバーの開閉を検出し、センサＲＣＩＬは、上段のカセット５１のサイドカバーの開閉を検出する。センサＴＯＳは、トナー及びトナーカートリッジの有無を検出する。
【００３０】
プリンタ画像処理回路１７は、ページメモリに記憶された画像データのビットイメージを介して、プリンタに出力する機能を有する。すなわち、プリンタに備えられた露光器としてのＬＥＤヘッド１６の点灯・消灯を画像データに応じて制御する。プリンタは、受信画像データ、ＣＣＤ５が読み取った画像データ、又は画像メモリ１２に記憶された画像データを用紙に印字することにより記録する。
【００３１】
このように構成した複合機４０では、表示部１３に複数のセンサにそれぞれ対応する情報が表示される。この表示に関しては、複数のセンサの内、設置位置が近いセンサをまとめて複数の区分とし、区分ごとに表示される。ここでは、図３のブロック図からも分かるように、スキャナに係る４つのセンサＤＳ１，ＤＳ２，ＤＢ４，ＤＡ３と、プリンタに係る９つのセンサＴＣＳ，ＰＳＳ，ＰＤＳ，ＨＰＳ，ＰＥＳＵ，ＰＥＳＬ，ＳＣＯＰ，ＲＣＩＬ，ＴＯＳと、カセットに係る６つのセンサＳＵ５，ＳＵ６，ＳＵ７，ＳＬ５，ＳＬ６，ＳＬ７とに区分されている。また、図４に示すように、区分内の各センサの出力はレジスタＳ，Ｃ１，Ｃ２，Ｐ１，Ｐ２にそれぞれ格納されている。
【００３２】
ＭＰＵ１は、レジスタＳ，Ｃ１，Ｃ２，Ｐ１，Ｐ２の内容を定期的に読み出し、値の変化したビットを判定し、値の変化したビットに対するセンサについての表示態様を異ならせることとしている。
【００３３】
次に、センサのチェックの具体例について、図５〜図７を参照して説明する。図５は、操作部４３のモードキー６１を押して、センサのチェックモードにした場合の表示部４４の最初の表示画面を示す。チェックモードになると、表示部４４に“チェックする箇所を選択して下さい。”が表示されるとともに、下部に３区分の“スキャナ”，“プリンタ”，“カセット”が表示される。この３つの選択肢は、操作部４３の３つのメニューキーＡ，Ｂ，Ｃに対応している。従って、例えばスキャナを選択する場合は、メニューキーＡを押す。
【００３４】
すると、表示部４４の表示が図６に示す表示に切り替わる。この表示画面では、選択した区分の“スキャナ”と、スキャナに係る４つのセンサの略称“ＤＳ１”，“ＤＳ２”，“ＤＢ４”，“ＤＡ３”が表示される。
【００３５】
ＭＰＵ１は、それら４つのセンサの情報が格納されているレジスタＳの内容を読み出し、値の変化したビットを判定し、値の変化したビットに対するセンサについての表示態様を異ならせる。すなわち図７の例では、センサ“ＤＢ４”が反転表示されており、これはサービスマンがセンサＤＢ４を手動で操作している最中であることを示している。センサＤＢ４を手動でＯＦＦからＯＮへ、又はＯＮからＯＦＦへ操作することにより、センサＤＢ４に係るビットの値が変化し、“ＤＢ４”の表示が通常表示と反転表示に切り替わる。従って、手動操作にもかかわらず表示が切り替わらないときは、センサＤＢ４に異常があることになる。このセンサのチェックモードを終了するときは、操作部４３の戻るキー６２を押せばよい。
【００３６】
なお、表示の態様を異ならせる方法は、反転表示に限定されるものではなく、表示自体を消す、あるいは、カラーの表示部が用いられている場合には、表示色を変える等、適宜変更が可能である。
【００３７】
次に、センサのチェックモード処理について、図８のフロー図を参照して説明する。モードキー６１を押してセンサのチェックモードに移行すると、まずステップＳＴ１において、表示部４４にチェック箇所選択画面を表示する（図５）。次いで、ステップＳＴ２において、メニューキーＡがオンされたか判定し、オンなら、ステップＳＴ６において、スキャナに係るセンサ（スキャナＳＷ）のチェック処理を行う。メニューキーＡがオンされないときは、ステップＳＴ３において、メニューキーＢがオンされたか判定し、オンなら、ステップＳＴ７において、プリンタに係るセンサ（プリンタＳＷ）のチェック処理を行う。メニューキーＢがオンされないときは、ステップＳＴ４において、メニューキーＣがオンされたか判定し、オンなら、ステップＳＴ８において、カセットに係るセンサ（カセットＳＷ）のチェック処理を行う。
【００３８】
メニューキーＣがオンされないときは、ステップＳＴ５において、戻るキー６２がオンされたか判定し、オンなら、このチェックモードからリターンする。戻るキー６２がオンされないときは、ステップＳＴ２に戻り、ステップＳＴ２〜ＳＴ８の処理を繰り返す。
【００３９】
スキャナＳＷ、プリンタＳＷ、カセットＳＷの各チェック処理のうち、スキャナＳＷのチェック処理について、図９及び図１０のフロー図を参照して説明する。まず図９のステップＳＴ１１において、表示部４４にスキャナＳＷのチェック画面を表示する（図６）。続いて、ステップＳＴ１２において、スキャナに係るセンサの情報を格納するレジスタＳの内容を読み出し、ＲＡＭ１１の所定領域に記憶する。
【００４０】
次いで、ステップＳＴ１３において、タイマＴがスタートした後、ステップＳＴ１４において、戻るキー６２がオンされたか判定し、オンなら、このスキャナＳＷのチェック処理からリターンする。戻るキー６２がオンされないときは、ステップＳＴ１５において、タイマＴがタイムアップしたか判定し、まだのときはステップＳＴ１４に戻り、タイマＴがタイムアップするまで、戻るキー６２がオンされたか判定し続ける。
【００４１】
タイマＴがタイムアップすると、ステップＳＴ１６において、ＲＡＭ１１の所定領域に記憶したレジスタＳの内容を読み出す。そして、ステップＳＴ１７において、レジスタＳのビット０の値が変化しているか判定し、値が変化しているときは、ステップＳＴ１８において、センサ“ＤＳ１”の表示を反転する。値が変化していないときは、ステップＳＴ１８の処理をスキップする。
【００４２】
図１０のステップＳＴ１９においては、レジスタＳのビット１の値が変化しているか判定し、値が変化しているときは、ステップＳＴ２０において、センサ“ＤＳ２”の表示を反転する。値が変化していないときは、ステップＳＴ２０の処理をスキップする。
【００４３】
ステップＳＴ２１においては、レジスタＳのビット２の値が変化しているか判定し、値が変化しているときは、ステップＳＴ２２において、センサ“ＤＢ４”の表示を反転する（図７）。値が変化していないときは、ステップＳＴ２２の処理をスキップする。
【００４４】
ステップＳＴ２３においては、レジスタＳのビット３の値が変化しているか判定し、値が変化しているときは、ステップＳＴ２４において、センサ“ＤＡ３”の表示を反転する。値が変化していないときは、ステップＳＴ２４の処理をスキップする。
【００４５】
その後、ステップＳＴ２５において、ＲＡＭ１１の所定領域のデータを更新してから、ステップＳＴ１３に戻り、ステップＳＴ１３〜ＳＴ２５の処理を繰り返す。ステップＳＴ１３〜ＳＴ２５の処理は、戻るキー６２がオンされるまで繰り返される。この間に、サービスマンはスキャナに係る４つのセンサを手動でＯＮ／ＯＦＦ操作して異常がないかチェックすることができる。しかも、スキャナに係るセンサが全て表示されるので、チェック漏れを起こす可能性が低く、チェックも容易である。
【００４６】
なお、フロー図には示していないが、プリンタＳＷ及びカセットＳＷのチェック処理も同様に行われる。すなわち、プリンタＳＷ及びカセットＳＷのチェック処理では、プリンタ及びカセットに係るセンサの情報を格納するレジスタＰ１，Ｐ２及びレジスタＣ１，Ｃ２の情報をそれぞれ読み出し、各レジスタの各ビットの値が変化しているか判定し、変化している場合はそのビットに係るセンサの表示を反転する。
【００４７】
上記実施形態では、センサの出力はレジスタに一旦格納され、このレジスタの内容をＭＰＵ１が取り込むことにより、センサの状態を検出するようにしている。この他に、▲１▼センサの出力をＭＰＵ１のポートに直接取り込む、▲２▼センサのアナログ出力をＡ／Ｄ変換したデジタル値をＭＰＵ１に取り込み、その値の変化を見る、▲３▼センサの出力をＭＰＵ１の割り込み端子に入力する、の各場合にも適用することができる。
【００４８】
▲１▼の場合は、ソフトタイマでＨ→Ｌ→Ｈ又はＬ→Ｈ→Ｌを検知すれば、センサが正常であると、▲２▼の場合は、ソフトタイマで読み込み、予め算出したＡ／Ｄ平均値と或る一定の差が出れば、センサが正常であると、▲３▼の場合は、割り込み検知後にそのステータスが該当すれば、センサが正常であると判定する。
【００４９】
【発明の効果】
以上説明したように、請求項１記載の発明によれば、複数のセンサの情報が並行して表示部に表示されるので、センサのチェックを効率良く行え、チェック漏れを防ぐことができる。
【００５０】
また、請求項２記載の発明によれば、センサが多いときには、複数に区分して表示できるので、チェックが容易となる上、チェック漏れをより効果的に防げる。しかも、１画面に表示されるセンサは互いに近い位置にあるので、センサを手で動作させてチェックすることが容易となる。
【００５１】
更に、請求項３記載の発明によれば、どのセンサを手動でチェックしているのかを容易に確認できる。
【図面の簡単な説明】
【図１】実施形態に係る電子機器を備えた複合機（コピー装置とファクシミリ装置を兼用するもの）の前側から見た外観斜視図である。
【図２】同複合機の後側から見た外観斜視図である。
【図３】同複合機の構成例を示すブロック図である。
【図４】図３のブロック図のレジスタＳ、レジスタＣ１，Ｃ２、レジスタＰ１，Ｐ２における各ビットのセンサ情報の割り当てを示す図である。
【図５】同複合機の表示部において、センサのチェックモードの最初の表示画面を示す図である。
【図６】同複合機の表示部において、区分のスキャナに係るセンサのチェック処理を選択したときの表示画面を示す図である。
【図７】同複合機の表示部において、区分のスキャナに係るセンサのチェック処理を選択した場合にセンサＤＢ４に対応するレジスタＳのビットの値が変化したときの表示画面を示す図である。
【図８】同複合機のセンサのチェックモードの動作を示すフロー図である。
【図９】図８のフロー図において、スキャナＳＷのチェック処理を示すフロー図である。
【図１０】図９のフロー図に続くフロー図である。
【符号の説明】
１            ＭＰＵ（制御部）
４            スキャナ機構制御回路
４ａ          レジスタＳ
８            カセット基板回路
８ａ          レジスタＣ１
９            カセット基板回路
９ａ          レジスタＣ２
１３，４４    表示部
１４，４３    操作部
１５          プリンタ機構制御回路
１５ａ        レジスタＰ１
１５ｂ        レジスタＰ２
２１〜２４    スキャナに係るセンサ
２５〜３０    カセットに係るセンサ
３１〜３９    プリンタに係るセンサ
４０          複合機
４１          本体
４２          ＡＤＦ
【図１】
2004254052.tif 000003
【図２】
2004254052.tif 000004
【図３】
2004254052.tif 000005
【図４】
2004254052.tif 000006
【図５】
2004254052.tif 000007
【図６】
2004254052.tif 000008
【図７】
2004254052.tif 000009
【図８】
2004254052.tif 000010
【図９】
2004254052.tif 000011
【図１０】
2004254052.tif 000012